(57)【要約】【課題】  より十分な殺菌作用とより十分な洗浄作用との両立が行え、なおかつ、強アルカリ性溶液と比較して使用前の保存性や安全性の面等がより良好なアルカリ殺菌水製造装置、アルカリ殺菌水製造方法を提供する。【解決手段】  アルカリ殺菌水製造装置１００は、中性水たる水道水を電解アルカリ水生成装置１００ａで電解して、電解アルカリ水を生成する。次に、生成した電解アルカリ水を次亜塩素酸水生成装置１００ｂで電解し、電解により次亜塩素酸を生成して、ｐＨが少なくとも１０以上の次亜塩素酸水をアルカリ殺菌水として製造する。【選択図】  図１
2006346650.tif 000002
【特許請求の範囲】
【請求項１】
アルカリ殺菌水製造装置であって、
中性水を電解した電解アルカリ水を生成する電解アルカリ水生成装置と、
電解により次亜塩素酸を生成する次亜塩素酸電解生成物が溶解した前記電解アルカリ水を電解してｐＨが１０以上の次亜塩素酸水を生成する次亜塩素酸水生成装置と、を含むアルカリ殺菌水製造装置。
【請求項２】
アルカリ殺菌水製造装置であって、
電解により次亜塩素酸を生成する次亜塩素酸電解生成物が溶解した中性水を電解して次亜塩素酸水を生成する次亜塩素酸水生成装置と、
前記次亜塩素酸水を電解してｐＨ１０以上の電解アルカリ水を生成する電解アルカリ水生成装置と、を含むアルカリ殺菌水製造装置。
【請求項３】
請求項１または２に記載のアルカリ殺菌水製造装置であって、
前記電解アルカリ水生成装置は、
隔膜によって隔てられた陽極槽と陰極槽とを備え、
前記陰極槽に前記電解アルカリ水を生成するものであるアルカリ殺菌水製造装置。
【請求項４】
請求項１から３のいずれか１つに記載のアルカリ殺菌水製造装置であって、
前記次亜塩素酸水生成装置は、無隔膜電解によって前記次亜塩素酸水が生成するものであるアルカリ殺菌水製造装置。
【請求項５】
請求項１から４のいずれか１つに記載のアルカリ殺菌水製造装置であって、
前記電解アルカリ水生成装置と前記次亜塩素酸水生成装置とが同一の装置であって、
前記次亜塩素酸電解生成物が溶解した中性水を電解して前記ｐＨ１０以上の電解アルカリ水を生成するアルカリ殺菌水製造装置。
【請求項６】
アルカリ殺菌水製造方法であって、
中性水を電解した電解アルカリ水を生成する電解アルカリ水生成工程と、
電解により次亜塩素酸を生成する次亜塩素酸電解生成物が溶解した前記電解アルカリ水を電解してｐＨが１０以上の次亜塩素酸水を生成する次亜塩素酸水生成工程と、を含むアルカリ殺菌水製造方法。
【請求項７】
アルカリ殺菌水製造方法であって、
電解により次亜塩素酸を生成する次亜塩素酸電解生成物が溶解した中性水を電解して次亜塩素酸水を生成する次亜塩素酸水生成工程と、
前記次亜塩素酸水を電解してｐＨ１０以上の電解アルカリ水を生成する電解アルカリ水生成工程と、を含むアルカリ殺菌水製造方法。
【請求項８】
請求項６または７に記載のアルカリ殺菌水製造方法であって、
前記電解アルカリ水生成工程は、
隔膜によって隔てられた陽極槽と陰極槽のうち、前記陰極槽に前記電解アルカリ水を生成するものであるアルカリ殺菌水製造方法。
【請求項９】
請求項６から６のいずれか１つに記載のアルカリ殺菌水製造方法であって、
前記次亜塩素酸水生成工程は、無隔膜電解によって前記次亜塩素酸水が生成するものであるアルカリ殺菌水製造方法。
【請求項１０】
請求項６から９のいずれか１つに記載のアルカリ殺菌水製造方法であって、
前記電解アルカリ水生成工程と前記次亜塩素酸水生成工程とが同一の工程であって、
前記次亜塩素酸電解生成物が溶解した中性水を電解して前記ｐＨ１０以上の電解アルカリ水を生成するアルカリ殺菌水製造方法。
【発明の詳細な説明】
【技術分野】
【０００１】
本発明は、アルカリ殺菌水製造装置、アルカリ殺菌水製造方法に関する。
【背景技術】
【０００２】
電解水生成装置として、様々なものが知られている。例えば、下記特許文献１には、生成された電解水を貯水するバッチ式の電解水生成装置が開示されている。
【０００３】
また、下記特許文献２には、使用しない方の電解水を更に電解することにより除菌水を生成する電解水生成装置が開示されている。
【０００４】
更に、下記特許文献３には、酸性水を得るためのものであって、アルカリ水を中和剤により中和して原料水タンクに戻す電解水生成装置が記載されている。
【０００５】
更に、下記特許文献４には、電解水生成装置において、還元水生成室および酸性水生成室は、それぞれ原料水導入口および電解水導出口を有し、還元水生成室および／または酸性水生成室は、利用に供されない還元水または酸性水を循環させる循環系を備えるものとすることが出来、このような循環系を備えることにより、還元水および酸性水のいずれか一方を使用のため回収し、他は循環させることが出来るため、いずれか一方の電解水を高率良く生成することが可能である電解水生成装置が開示されている。
【０００６】
また、近年、種々の溶液を電気分解して得られる電解水に、殺菌効果があることが知られており、このような電解殺菌水は種々の殺菌、消毒に応用されている。従来の電解殺菌水の製造方法としては、例えば下記特許文献５のように、塩化ナトリウムを添加した水を隔膜付きの電解槽に通液し、これを電気分解し、陽極側に生成する強酸性水を電解殺菌水として取得するものが知られている。また、下記特許文献６の明細書に開示された技術においては、塩化ナトリウムを添加した水と、塩酸を添加した水とを混合し、これを無隔膜電解槽によって電気分解する方法が開示されている。該文献においては、塩化ナトリウムを添加した水は、電解する際の効率を増加するために不可欠の添加物とされている。更に、下記特許文献７、下記特許文献８では、実質的に塩化ナトリウムを含有しない塩酸水溶液を、無隔膜電解槽に通液して電気分解し、電解殺菌水を得る技術が開示されている。
【０００７】
これらの技術によって製造された電解殺菌水は、例えば、次亜塩素酸ソ−ダを水に溶解して調製した塩素水に比して、低塩素濃度であっても殺菌効果が高く、また、毎回使用する度に微妙な濃度調整を行なう必要がないので、殺菌剤として好適であるとされている。
【０００８】
これらの背景技術の中で特許文献４には電解アルカリ水に殺菌作用、洗浄作用があることが記載されている。
【特許文献１】特開２００１−０７０９４１号公報
【特許文献２】特開２００１−０６２４５３号公報
【特許文献３】特開２００１−２８８５４５号公報
【特許文献４】特開２００３−５３３４５号公報
【特許文献５】特開平１−１８０２９３号公報
【特許文献６】特許第２６２７１００号明細書
【特許文献７】特願平８−３０９９２０号公報
【特許文献８】特願平１０−１８９７４４号公報
【発明の開示】
【発明が解決しようとする課題】
【０００９】
しかしながら、本発明者が検討した結果、上記特許文献４に記載されるアルカリ還元水では、十分な殺菌作用、十分な洗浄作用を得ることが難しい場合があることがわかった。
【００１０】
近年の報告では、殺菌作用はアルカリ側のｐＨに殆ど関係ないという報告もあるように、本発明者が検討した結果、ｐＨを大きくしただけでは殺菌作用が十分ではない場合もあることがわかった。
【００１１】
また、塩化ナトリウムなどの電解により次亜塩素酸を生成する次亜塩素酸電解生成物を電解し、電解殺菌水を生成する方法では、次亜塩素酸による殺菌効果は得られるにしても、アルカリ性が十分ではなく、洗浄作用が十分ではない場合がある。
【００１２】
さらに、予め十分な大きさのｐＨを有する強アルカリ性溶液に次亜塩素酸電解生成物を添加して次亜塩素酸を生成させる方法も本発明者は検討したが、予め強アルカリ性溶液を用いることは使用前の保存性や安全性の面等で芳しくない場合もある。
【００１３】
本発明は、上記課題に鑑みてなされたものであり、より十分な殺菌作用とより十分な洗浄作用との両立が行え、なおかつ、強アルカリ性溶液と比較して使用前の保存性や安全性の面等がより良好なアルカリ殺菌水製造装置、アルカリ殺菌水製造方法を提供することをその主な目的とする。
【課題を解決するための手段】
【００１４】
本発明は、アルカリ殺菌水製造装置であって、中性水を電解した電解アルカリ水を生成する電解アルカリ水生成装置と、電解により次亜塩素酸を生成する次亜塩素酸電解生成物が溶解した前記電解アルカリ水を電解してｐＨが１０以上の次亜塩素酸水を生成する次亜塩素酸水生成装置と、を含むことを特徴とする。
【００１５】
本発明は、アルカリ殺菌水製造装置であって、電解により次亜塩素酸を生成する次亜塩素酸電解生成物が溶解した中性水を電解して次亜塩素酸水を生成する次亜塩素酸水生成装置と、前記次亜塩素酸水を電解してｐＨ１０以上の電解アルカリ水を生成する電解アルカリ水生成装置と、を含むことを特徴とする。
【００１６】
前記電解アルカリ水生成装置は、隔膜によって隔てられた陽極槽と陰極槽とを備え、前記陰極槽に前記電解アルカリ水を生成すると好適である。
【００１７】
前記次亜塩素酸水生成装置は、無隔膜電解によって前記次亜塩素酸水が生成するものであると好適である。
【００１８】
前記次亜塩素酸水生成装置と前記電解アルカリ水生成装置とが同一の装置であって、前記次亜塩素酸電解生成物が溶解した中性水を電解して前記ｐＨ１０以上の電解アルカリ水を生成すると好適である。
【００１９】
本発明は、アルカリ殺菌水製造方法であって、中性水を電解した電解アルカリ水を生成する電解アルカリ水生成工程と、電解により次亜塩素酸を生成する次亜塩素酸電解生成物が溶解した前記電解アルカリ水を電解してｐＨが１０以上の次亜塩素酸水を生成する次亜塩素酸水生成工程と、を含むことを特徴とする。
【００２０】
本発明は、アルカリ殺菌水製造方法であって、電解により次亜塩素酸を生成する次亜塩素酸電解生成物が溶解した中性水を電解して次亜塩素酸水を生成する次亜塩素酸水生成工程と、前記次亜塩素酸水を電解してｐＨ１０以上の電解アルカリ水を生成する電解アルカリ水生成工程と、を含むことを特徴とする。
【００２１】
前記電解アルカリ水生成工程は、隔膜によって隔てられた陽極槽と陰極槽のうち、前記陰極槽に前記電解アルカリ水を生成するものであると好適である。
【００２２】
前記次亜塩素酸水生成工程は、無隔膜電解によって前記次亜塩素酸水が生成するものであると好適である。
【００２３】
前記電解アルカリ水生成工程と前記次亜塩素酸水生成工程とが同一の工程であって、前記次亜塩素酸電解生成物が溶解した中性水を電解して前記ｐＨ１０以上の電解アルカリ水を生成すると好適である。
【発明の効果】
【００２４】
本発明によれば、より十分な殺菌作用とより十分な洗浄作用との両立が行え、なおかつ、強アルカリ性溶液と比較して使用前の保存性や安全性の面等がより良好なアルカリ殺菌水製造装置、アルカリ殺菌水製造方法を提供することができる。
【発明を実施するための最良の形態】
【００２５】
本発明者が検討した結果、驚くべきことにアルカリ性についてｐＨ１０以上、好ましくはｐＨ１１．５以上であるアルカリ殺菌水であると十分な洗浄作用を得ることができることがわかった。これは十分なｐＨ値を有するアルカリ性による作用、例えば、油汚れなどへの乳化作用、界面活性化作用などによるものとも一考察できる。
【００２６】
したがって、この強アルカリ水を中性水から得ることができれば、使用前の強アルカリ性溶液を用いることによる保存性や安全性の面等がより良好になるものと考えられ、なお、かつ強アルカリの洗浄作用の利点を享受できることとなる。さらに、この強アルカリに次亜塩素酸を生じさせることができれば十分な殺菌作用を得ることもできる。
【００２７】
このような観点を見いだしたことに基づいて、本発明者が鋭意検討した結果、本発明のアルカリ殺菌水製造装置、アルカリ殺菌水製造方法を見いだすに至った。
【００２８】
「アルカリ殺菌水製造装置」
以下、発明を実施するための形態を図面に基づいて説明する。なお、本実施形態については、本発明を実施するための一形態に過ぎず、本発明は本実施形態によって限定されるものではない。
【００２９】
本実施形態では、好適であることから例示的に、電解により次亜塩素酸を生成する次亜塩素酸電解生成物として塩化ナトリウム（ＮａＣｌ）、中性水として水道水を用いて説明しているがこれに限定されるものではない。次亜塩素酸電解生成物、中性水は適宜選択して用いることができる。なお、次亜塩素酸電解生成物は、少なくとも電解によって次亜塩素酸水を生じさせる工程の前までに添加すればよく、添加位置、添加時期等は特に限られることなく適宜選択することができる。
【００３０】
次亜塩素酸電解生成物としては、中性水に溶解し次亜塩素酸イオンを生じる物質を適宜選択してもちいることができるが、例えば塩素イオン、塩化物イオン（Ｃｌ−）を含む物質、例えば、ＨＣｌ（塩酸）、ＫＣｌ、ＭｇＣｌ２またはこれらを含んだ物質、さらにはこれらを併用した物質などを用いると好適である。さらに好適なのはＮａＣｌであり、入手容易性、低価格性、安全性などに利点がある。このようなＣｌ−を含む物質は、電気分解し、電解酸化の作用により塩素ガスを発生させ、発生した塩素ガスを水に溶解させて、水中に次亜塩素酸イオンを生成させる。次亜塩素酸電解生成物は電解によって直接的に次亜塩素酸イオンを生じる物質であっても、または、本実施形態のように電解発生した塩素が溶解して間接的に次亜塩素酸イオンを生じさせる物質であってもよい。
【００３１】
中性水としては、適宜選択して用いることができる。本願において、中性の概念とはｐＨ４．５〜８．５の範囲内であるものをいい、好ましくはｐＨ５〜８、特に好ましくはｐＨ７付近である。本実施形態のように水道水であると好適であると入手容易性、低価格性、安全性などに利点がある。中性水とは、水道水に限られず、純水、濾過水、蒸留水、地下水、伏流水、脱塩水、精製水（ＲＯ水、膜処理水）、雨水、井戸水、酸とアルカリによる中和により中性となった中和水、炭酸水素ナトリウムや金属塩などの無機塩、有機物が含まれた中性の水溶液、または、予め次亜塩素酸電解生成物が溶解された水溶液などやこれらの混合水などであってもよく、これらを含む概念である。
【００３２】
本実施形態に用いる電解エネルギ供給手段たる電解用直流電源としてはそれぞれの目的において使用できるものを適宜選択して用いればよく特に限定されることはない。直流電源であると好適であるが、交流電源であってもよい。本実施形態では好適であることから使用される電解用直流電源は、定電流式電源である。この定電流式電源によると、電源入力時は設定された電流値を常時維持し、安定した電解状態を保持することが出来る。また、電極表面へのスケールの付着などによる抵抗の増加に対しても、自動電圧上昇により設定された電流値を維持する機能を有し、また電極の劣化による電流の減少にも同様に対応することが出来る。例えば、定電流設定値を１２Ａとし（定電流設定値は設定可変可能）、電圧制御範囲を０〜４０Ｖとすることが出来る。
【００３３】
本実施形態で使用する電極としては特に限定されることなく適宜選択して適用することができる。好ましくは電解により電極間で電子移動が活発に行われ、酸化され易いため、チタン等の酸化されにくい素材を選び、その表面に白金やイリジウム等の貴金属を被覆することが望ましい。電極の形状も特に限定されることなく適宜選択して適用することができる。好適には水溶液の成分が流入し易い（イオン交換され易い）ように、エキスパンドまたは丸穴、十字穴、角穴のほか、スリット状の長穴が形成されたものが好ましい。
【００３４】
なお、電解槽において、電極を、複数の電極板で構成して通電する場合には、通電の方法として、単極式及び複極式の二種類の形式があるが適宜選択していずれを用いてもよい。ここで、単極式とは、電極板の全てが陰極又は陽極のいずれかである形式であり、複極式とは、例えば、複数の電極を一定間隔で相互に絶縁して重ね合わせた構造を有し、電源の陽極に接続された電極板と、電源の陰極に接続された電極板との間に、いずれの極とも接続されない電極が、少なくとも１枚存在する形式である。
【００３５】
電解により電解アルカリ水を生成する電解槽においては、隔膜を設け、陰極側でアルカリ性を強めることが好適であるが、これに限られることなく無隔膜電解槽などであっても電解により最終的なアルカリ殺菌水がｐＨ１０以上となるように設計してもよい。なお、本実施形態で隔膜はイオン交換膜等の陽イオンと陰イオンを陽極側と陰極側とに電解によって分離できる性質を有するものである。
【００３６】
電解により次亜塩素酸水を生成する電解槽においては、本実施形態の以下に示されるように無隔膜電解槽を用いることが好ましい。電解効率の向上、電極の長寿命化等の点などの利点に加え、隔膜を設けて陽極側で次亜塩素酸を生じさせる塩化物イオンの酸化を行うとアルカリ性溶液が中和してしまうからである。しかしながら、多少中和させても所定の強アルカリ状態を維持できる場合などには隔膜を設けて陽極側で塩化物イオンの酸化を行い、次亜塩素酸イオンの原料となる塩素ガスを発生させてもよい。
【００３７】
＜実施形態１＞
図１には、実施形態１に係るアルカリ殺菌水製造装置１００が示される。アルカリ殺菌水製造装置１００は、電解して電解アルカリ水を生成する電解アルカリ水生成装置１００ａと、電解により次亜塩素酸水を生成する次亜塩素酸水生成装置１００ｂと、これらに直流電流を供給する直流電源１００ｃから主に構成されている。
【００３８】
電解アルカリ水生成装置１００ａは、電解が行われる電解タンクの構造を有している。電解アルカリ水生成装置１００ａはその内部について、隔膜１３０によって陰極槽１１０と陽極槽１２０とに分離されている。
【００３９】
陰極槽１１０には、その内部に直流電源の陰極と電気的に接続された陰極１１２を有している。陰極槽１１０には、外部から陰極槽１１０に水道水が供給される水道路１０２、電解後に生成した電解アルカリ水を次亜塩素酸水生成装置１００ｂへと搬送する搬送路１０４とが接続されている。
【００４０】
陽極槽１２０には、その内部に直流電源の陽極と電気的に接続された陽極１２２を有している。陽極槽１２０には、電解により陽極槽１２０内が酸性となった場合について、この酸性水を中和電解質におよび／または中和電解質を陽極槽１２０内の酸性水に供給して中和する中和循環路１０６が接続されている。
【００４１】
電解アルカリ水生成装置１００ａは、水道路１０２から供給された水道水を陰極１１２と陽極１２２との間で隔膜１３０を介して直流電源１００ｃの電力によって電解する。電解の結果、陰極槽１１０側に所定のｐＨ以上の電解アルカリ水とすることができた場合に、搬送路１０４を通じて所定のｐＨ以上の電解アルカリ水を次亜塩素酸水生成装置１００ｂへと搬送する。
【００４２】
次亜塩素酸水生成装置１００ｂは、無隔膜方式の電解槽である。電解槽１４０の内部には直流電源１００ｃの陽極と電気的に接続された陽極１４２、直流電源１００ｃの陰極と電気的に接続された陰極１４４を有している。
【００４３】
電解槽１４０には、電解アルカリ水生成装置１００ａで生成した電解アルカリ水を陰極槽１１０に供給する搬送路１０４、アルカリ殺菌水を取り出す取り出し路１５０が接続されている。ここで、搬送路１０４には電解槽１４０に至る前の途中の電解アルカリ水にＮａＣｌを添加する添加装置１０８が備えられている。
【００４４】
次亜塩素酸水生成装置１００ｂは、搬送路１０４から供給された電解アルカリ水（ＮａＣｌ添加済み）を電解槽１４０において、陽極１４２と陰極１４４の間で無隔膜方式で直流電源１００ｃの電力によって電解する。電解によって次亜塩素酸が生じて次亜塩素酸水（次亜塩素酸ナトリウム水溶液）ともなった電解アルカリ水は、アルカリ殺菌水とされ取り出し路１５０から最終的に取り出される。取り出されたアルカリ殺菌水は洗浄および／または殺菌の用途として用いられる。
【００４５】
なお、本実施形態において、主に洗浄作用の観点から最終的に取り出されるアルカリ殺菌水のｐＨは１０以上であることが必須である。特に好ましくはｐＨ１１．５以上であると主に洗浄作用の観点などから好適である。なお、最終的に取り出されるアルカリ殺菌水のｐＨは１０以上であることが必須であるが、途中の工程における電解アルカリ水（例えば、搬送路１０４中の電解アルカリ水）のｐＨは１０以上であることが必須となるものではない。しかしながら、好適には次亜塩素酸水生成装置１００ｂに入る前の電解アルカリ水のｐＨを１０以上、さらに好ましくはｐＨ１１．５以上としておくと最終的に取り出されるアルカリ殺菌水のｐＨもｐＨを１０以上、さらに好ましくはｐＨ１１．５以上という条件を満たしやすく便宜である。
【００４６】
なお、ｐＨの測定法はｐＨメータを設けるなどし、その測定法に基づいて電解時間などを制御して所定のｐＨとなるようにするなど適宜選択して実施すればよい。
【００４７】
＜実施形態２＞
図２には、実施形態２に係るアルカリ殺菌水製造装置２００が示される。アルカリ殺菌水製造装置２００は、電解して電解アルカリ水を生成する電解アルカリ水生成装置２００ａと、電解により次亜塩素酸水を生成する次亜塩素酸水生成装置２００ｂと、これらに直流電流を供給する直流電源２００ｃから主に構成されている。
【００４８】
次亜塩素酸水生成装置２００ｂは、無隔膜方式の電解槽である。電解槽２４０の内部には直流電源の陽極と電気的に接続された陽極２４２、直流電源の陰極と電気的に接続された陰極２４４を有している。
【００４９】
電解槽２４０には、外部から電解槽２４０に水道水が供給される水道路２０２、電解により生じた次亜塩素酸水を電解アルカリ水生成装置２００ａへ搬送する搬送路２０４が接続されている。ここで、水道路２０２には電解槽２４０に至る前の途中で水道水にＮａＣｌを添加する添加装置２０８が備えられている。
【００５０】
次亜塩素酸水生成装置２００ｂは、水道路２０２から供給された水道水（ＮａＣｌ添加済み）を電解槽２４０において、陽極２４２と陰極２４４の間で無隔膜方式で直流電源２００ｃの電力によって電解する。電解によって次亜塩素酸が生じ、次亜塩素酸水（次亜塩素酸ナトリウム水溶液）となる。電解によって生じた次亜塩素酸水は搬送路２０４から電解アルカリ水生成装置２００ａへと供給される。
【００５１】
電解アルカリ水生成装置２００ａは、電解が行われる電解タンクの構造を有している。電解アルカリ水生成装置２００ａはその内部について、隔膜２３０によって陰極槽２１０と陽極槽２２０とに分離されている。
【００５２】
陰極槽２１０には、その内部に直流電源２００ｃの陰極と電気的に接続された陰極２１２を有している。陰極槽２１０には、次亜塩素酸水生成装置２００ｂからの電解によって生じた次亜塩素酸水が搬送される搬送路２０４、アルカリ殺菌水を取り出す取り出し路２５０が接続されている。
【００５３】
陽極槽２２０には、その内部に直流電源２００ｃの陽極と電気的に接続された陽極２２２を有している。陽極槽２２０には、電解により陽極槽２２０内が酸性となった場合について、この酸性水を中和電解質におよび／または中和電解質を陽極槽２２０内の酸性水に供給して中和する中和循環路２０６が接続されている。
【００５４】
電解アルカリ水生成装置２００ａは、次亜塩素酸水生成装置２００ｂから供給された次亜塩素酸水を陰極２１２と陽極２２２との間で隔膜２３０を介して直流電源２００ｃの電力によって電解する。電解の結果、陰極槽２１０側にｐＨ１０以上（好ましくはｐＨ１１．５以上）の電解アルカリ水とする。この条件を満たした次亜塩素酸水であって電解アルカリ水はアルカリ殺菌水とされ、取り出し路２５０から最終的に取り出される。取り出されたアルカリ殺菌水は洗浄および／または殺菌の用途として用いられる。
【００５５】
＜実施形態３＞
図３には、実施形態３に係るアルカリ殺菌水製造装置３００が示される。アルカリ殺菌水製造装置３００は、電解して電解アルカリ水を生成し、かつ、電解により次亜塩素酸水を生成する電解アルカリ水生成装置３００ａと、これに直流電流を供給する直流電源３００ｃから主に構成されている。
【００５６】
電解アルカリ水生成装置３００ａは、電解が行われる電解タンクの構造を有している。電解アルカリ水生成装置３００ａはその内部について、隔膜３３０によって陰極槽３１０と陽極槽３２０とに分離されている。
【００５７】
陰極槽３１０には、その内部に直流電源３００ｃの陰極と電気的に接続された陰極３１２を有している。陰極槽３１０には、外部から陰極槽３１０に水道水が供給される水道路３０２、電解後に生成したアルカリ殺菌水を取り出す取り出し路３５０とが接続されている。水道路３０２には、陰極槽３１０に至る前の途中で水道水にＮａＣｌを添加する添加装置３０８が備えられている。
【００５８】
陰極槽３１０は、無隔膜方式の電解槽でもある。陰極槽３１０の内部にはさらに直流電源の陽極と電気的に接続された陽極３４２、直流電源の陰極と電気的に接続された陰極３４４を有している。
【００５９】
陽極槽３２０には、その内部に直流電源３００ｃの陽極と電気的に接続された陽極３２２を有している。陽極槽３２０には、電解により陽極槽３２０内が酸性となった場合について、この酸性水を中和電解質におよび／または中和電解質を陽極槽３２０内の酸性水に供給して中和する中和循環路３０６が接続されている。
【００６０】
電解アルカリ水生成装置３００ａは、水道路３０２から供給された水道水（ＮａＣｌ添加済み）を陰極３１２と陽極３２２との間で隔膜３３０を介して電解することで陰極槽３１０に電解アルカリ水を生成する。
【００６１】
また同時に、電解アルカリ水生成装置３００ａは、水道路３０２から供給された水道水（ＮａＣｌ添加済み）を陽極３４２と陰極３４４の間で無隔膜方式で直流電源３００ｃの電力により電解する。電解によって次亜塩素酸が生じて次亜塩素酸水（次亜塩素酸ナトリウム水溶液）が生じる。ｐＨ１０以上、好ましくはｐＨ１１．５以上と陰極槽３４０の電解アルカリ水がなり、次亜塩素酸が生じた場合は、アルカリ殺菌水とされ取り出し路３５０から最終的に取り出される。取り出されたアルカリ殺菌水は洗浄および／または殺菌の用途として用いられる。
【００６２】
実施形態３によれば、次亜塩素酸水生成装置を電解アルカリ水生成装置と同一の装置内とすることができ、設備の簡易化、省スペース化等を図ることができる。
【００６３】
上記実施形態によるアルカリ殺菌水製造装置では、原料水として水道水を用いているので強アルカリを用いることがなく、保存性や安全性の面などにより好適である。また、少なくともｐＨ１０以上であるアルカリ殺菌水を用いているので、洗浄作用もより十分とすることができる。さらに、アルカリ性だけでは不十分であった殺菌作用も改善するように殺菌作用のある次亜塩素酸イオンを含有するようにしているので殺菌作用もより十分とすることができる。
【００６４】
このアルカリ殺菌水の用途は洗浄と殺菌を要する分野一般に用いることができ、特に限られることがないが、例えば、家庭用ゴミなどの廃プラスチックの洗浄殺菌、野菜の洗浄殺菌、食器などの洗浄殺菌などにも使用することができる。
【図面の簡単な説明】
【００６５】
【図１】本実施形態１におけるアルカリ殺菌水製造装置を示す模式図である。
【図２】本実施形態２におけるアルカリ殺菌水製造装置を示す模式図である。
【図３】本実施形態３におけるアルカリ殺菌水製造装置を示す模式図である。
【符号の説明】
【００６６】
１００，２００，３００  アルカリ殺菌水製造装置
１００ａ，２００ａ，３００ａ  電解アルカリ水生成装置
１００ｂ，２００ｂ  次亜塩素酸水生成装置
１００ｃ，２００ｃ，３００ｃ  直流電源
【図１】
2006346650.tif 000003
【図２】
2006346650.tif 000004
【図３】
2006346650.tif 000005